(57)【要約】      （修正有）【課題】タッチパネルを有する撮像装置を収納した状態でタッチパネルの操作を可能とした防水ハウジング及びこのような防水ハウジングを用いた撮像方法を提供すること。【解決手段】防水ハウジングの筐体１０１に、筐体１０１の外部からの撮像装置のタッチパネル２０２に対する操作をタッチパネル２０２に伝達するための伝達部を設ける。伝達部は磁石１０５ａと付勢部材１０５ｂとを有している。筐体１０１の外部から、磁石１０５ａに対して反磁性を有するタッチペン１０４のペン先１０４ａが接近すると、磁石１０５ａがタッチパネル２０２の方向に移動してタッチパネル２０２の操作がなされる。【選択図】図５
2010282143.tif 000002
【特許請求の範囲】
【請求項１】
タッチパネル式の操作部材を有する撮像装置を収納自在になされた防水ハウジングにおいて、
前記撮像装置を収納するための筐体と、
前記筐体に前記撮像装置が収納された際に、前記筐体の外部からの前記タッチパネル式の操作部材の操作を前記タッチパネル式の操作部材に伝達するための伝達部と、
を具備することを特徴とする防水ハウジング。
【請求項２】
前記操作部は、
前記タッチパネル式の操作部材に対応するように前記筐体内に配置され、前記筐体の外部からの第２の磁石の接近に伴う反磁力によって前記タッチパネル式の操作部材の方向に移動する第１の磁石と、
前記第１の磁石を前記筐体に付勢するとともに、前記第１の磁石の移動に伴って前記タッチパネル式の操作部材に接触する付勢部材と、
を有することを特徴とする請求項１に記載の防水ハウジング。
【請求項３】
前記第２の磁石はペン型操作部材に設けられていることを特徴とする請求項２に記載の防水ハウジング。
【請求項４】
前記付勢部材がさらに導体で覆われていることを特徴とする請求項２に記載の防水ハウジング。
【請求項５】
前記付勢部材が透明性を有する材料で構成されていることを特徴とする請求項２に記載の防水ハウジング。
【請求項６】
前記導体が透明性を有する材料で構成されていることを特徴とする請求項４に記載の防水ハウジング。
【請求項７】
前記筐体には、前記タッチパネル式の操作部材を視認可能とするための窓部が形成され、
前記筐体の前記窓部以外の領域には防磁処理がなされていることを特徴とする請求項１に記載の防水ハウジング。
【請求項８】
前記撮像装置は、
前記撮像装置が前記防水ハウジングに収納されたことを検知するための検知部と、
前記検知部によって、前記撮像装置が当該防水ハウジングに収納された場合に前記タッチパネル式の操作部の名称を示す表示の大きさを前記第１の磁石の大きさに比較して大きくする制御部と、
を具備することを特徴とする請求項２に記載の防水ハウジング。
【請求項９】
タッチパネル式の操作部材を有する撮像装置を収納自在になされた防水ハウジングを用いた撮像方法において、
前記筐体に前記撮像装置が収納された際に、前記筐体の外部からの前記タッチパネル式の操作部材の操作を前記タッチパネル式の操作部材に伝達し、
前記伝達された前記タッチパネル式の操作部材の操作に従って前記撮像装置を動作させる、
ことを特徴とする撮像方法。
【請求項１０】
前記操作部は、
前記タッチパネル式の操作部材に対応するように前記筐体内に配置され、前記筐体の外部からの第２の磁石の接近に伴う反磁力によって前記タッチパネル式の操作部材の方向に移動する第１の磁石と、
前記第１の磁石を前記筐体に付勢するとともに、前記第１の磁石の移動に伴って前記タッチパネル式の操作部材に接触する付勢部材と、
を有することを特徴とする請求項９に記載の撮像方法。
【請求項１１】
前記第２の磁石はペン型操作部材に設けられていることを特徴とする請求項１０に記載の撮像方法。
【請求項１２】
前記撮像装置が前記防水ハウジングに収納された場合に前記タッチパネル式の操作部の名称を示す表示の大きさを前記第１の磁石の大きさに比較して大きくすることを特徴とする請求項１０に記載の撮像方法。
【発明の詳細な説明】
【技術分野】
【０００１】
本発明は、撮像装置を収納自在になされた防水ハウジング及び防水ハウジングを用いた撮像方法に関する。
【背景技術】
【０００２】
デジタルスチルカメラやデジタルビデオカメラ等の撮影装置による水中撮影の際に、撮像装置を防水ハウジング（防水ケース等とも呼ばれる）に収納して撮影が行われることがある。防水ハウジングを用いることにより、水中撮影時にデジタルスチルカメラやデジタルビデオカメラに水がかかることがない。このような防水ハウジングに関する提案は例えば特許文献１においてなされている。
【０００３】
また、デジタルスチルカメラやデジタルビデオカメラ等の撮像装置の操作部を、表示パネルの表面に重ね合わせるように配置されたタッチパネルによって行えるようにしたタッチパネル式の操作部材を有する撮像装置も提案されている。このタッチパネルの構成としては種々の構成が提案されている。例えば、感圧式のタッチパネルの場合、表示パネルの画面に重ね合わせるように複数の透明電極を配置しておき、ユーザの指が表示パネルに表示されている何れかのボタンに接触すると、そのボタンに対応した位置の透明電極が導通するようになされている。どの位置の透明電極が導通したかを検出することにより、ユーザの指が接触したボタンの位置を検出することが可能である。
【０００４】
ここで、タッチパネル式の操作部材を有する撮像装置を防水ハウジング内に収納して撮影を行う場合、防水ハウジングからタッチパネルを操作することは困難である。これは、通常、防水ハウジングは水圧に耐え得るように所定の剛性を有する材料から構成されており、ユーザの指を防水ハウジングの内側のタッチパネルに接触させることができないためである。
【０００５】
このような問題を解決するために、特許文献２においては、撮像装置の一部の操作部材を防水ハウジングの操作部材に連動して操作されるように構成しておき、防水ハウジングの装着時にはタッチパネルではなく防水ハウジングの操作部材によって撮像装置の操作を行えるようにしている。この際、特許文献２においては、防水ハウジングの装着時には、防水ハウジングの操作部材に連動して操作される撮像装置の操作部材の機能を通常時においてタッチパネルによって操作される機能に変更するようにしている。
【先行技術文献】
【特許文献】
【０００６】
【特許文献１】特開２００５−１１５１７８号公報
【特許文献２】特開２００７−６５２９５号公報
【発明の概要】
【発明が解決しようとする課題】
【０００７】
特許文献２の手法の場合、通常撮影時と水中撮影時とで撮像装置の操作方法が変わるため、ユーザが操作に混乱を起こす可能性がある。したがって、特に、被写体が突然現れる可能性が高い水中撮影では失敗写真の原因となり易い。
【０００８】
本発明は、タッチパネルを有する撮像装置を収納した状態でタッチパネルの操作を可能とした防水ハウジング及びこのような防水ハウジングを用いた撮像方法を提供することを目的とする。
【課題を解決するための手段】
【０００９】
上記の目的を達成するために、本発明の第１の態様の防水ハウジングは、タッチパネル式の操作部材を有する撮像装置を収納自在になされた防水ハウジングにおいて、前記撮像装置を収納するための筐体と、前記筐体に前記撮像装置が収納された際に、前記筐体の外部からの前記タッチパネル式の操作部材の操作を前記タッチパネル式の操作部材に伝達するための伝達部とを具備することを特徴とする。
【００１０】
また、上記の目的を達成するために、本発明の第２の態様の撮像方法は、タッチパネル式の操作部材を有する撮像装置を収納自在になされた防水ハウジングを用いた撮像方法において、前記筐体に前記撮像装置が収納された際に、前記筐体の外部からの前記タッチパネル式の操作部材の操作を前記タッチパネル式の操作部材に伝達し、前記伝達された前記タッチパネル式の操作部材の操作に従って前記撮像装置を動作させることを特徴とする。
【発明の効果】
【００１１】
本発明によれば、タッチパネルを有する撮像装置を収納した状態でタッチパネルの操作を可能とした防水ハウジング及びこのような防水ハウジングを用いた撮像方法を提供することができる。
【図面の簡単な説明】
【００１２】
【図１】本発明の第１の実施形態に係る撮像システムに用いられる防水ハウジングの外観を示す側面図である。
【図２】本発明の第１の実施形態に係る撮像システムに用いられる撮像装置の外観を示す側面図である。
【図３】感圧式のタッチパネルの構成の一例を示す図である。
【図４】撮像装置の内部の構成を示す図である。
【図５】本発明の第１の実施形態における伝達部の構成を説明するための防水ハウジングと撮像装置との間の断面図である。
【図６】本発明の第１の実施形態に係る防水ハウジングに収納された撮像装置の動作を示すフローチャートである。
【図７】本発明の第２の実施形態における伝達部の構成を説明するための防水ハウジングと撮像装置との間の断面図である。
【発明を実施するための形態】
【００１３】
以下、図面を参照して本発明の実施形態を説明する。  
［第１の実施形態］
まず、本発明の第１の実施形態について説明する。図１は、本発明の第１の実施形態に係る撮像システムに用いられる防水ハウジングの外観を示す側面図である。なお、図１は、撮像装置がデジタルムービーカメラである場合を例としている。しかしながら、本実施形態の手法は撮像装置がデジタルスチルカメラであっても適用可能である。
【００１４】
図１に示すように、防水ハウジング１００は撮像装置が収納される筐体１０１を有している。この筐体１０１は、プラスティックや金属等から構成され、撮像装置を収納可能なように撮像装置と略同じ外形形状をなしている。筐体１０１の側面には、撮像装置を収納した際に撮像装置の側面に設けられた表示部（タッチパネル）を視認するための透明性を有する部材で構成された窓部１０２が形成されている。
【００１５】
ここで、デジタルスチルカメラの場合には、撮像装置の背面に表示部が設けられていることが多い。このような背面に表示部を有する撮像装置を収納する防水ハウジングとする場合には窓部１０２を筐体１０１の背面に設ける必要がある。
【００１６】
また、筐体１０１の側面にはタッチペン収納用磁石１０３が取り付けられている。このタッチペン収納用磁石１０３は、例えばフェライト磁石等の永久磁石であり、タッチペン１０４を筐体１０１に固定しておくために設けられている。そして、タッチペン収納用磁石１０３は、タッチペン１０４の固定用磁石１０４ｂとは逆極となる側（図ではＳ極側）が筐体１０１の外側に向くように配置されている。
【００１７】
タッチペン１０４は、第２の磁石としての機能を有する棒状の永久磁石を有して構成されたペン型操作部材である。タッチペン１０４のペン先１０４ａは棒状磁石の一方の極（図ではＳ極）で構成されている。タッチペン１０４のペン先１０４ａを筐体１０１に接触させることにより、撮像装置のタッチパネルの操作が行われる。詳細については後述する。
【００１８】
さらに、タッチペン１０４を構成する棒状磁石の他方の極（図ではＮ極）は固定用磁石１０４ｂとして使用される。タッチペン１０４の不使用時においては、タッチペン収納用磁石１０３によってタッチペン１０４を筐体１０１に固定することができ、これによりタッチペン１０４が筐体１０１から落下することを防止できる。さらに、タッチペン１０４と筐体１０１とは接続紐１０５を介しても接続されている。この接続紐１０５によってもタッチペン１０４を筐体１０１に固定することができる。
【００１９】
図２は、本発明の第１の実施形態に係る撮像システムに用いられる撮像装置の外観を示す側面図である。図２に示すように、撮像装置２００の側面には表示部２０１が設けられており、さらに表示部２０１上にはタッチパネル２０２が設けられている。
【００２０】
表示部２０１は例えば液晶ディスプレイからなる表示装置であり、撮像装置２００で撮像された画像等を表示する。また、表示部２０１は、タッチパネル２０２の操作部を示す画像２０１ａも表示する。
【００２１】
タッチパネル２０２は例えば感圧式のタッチパネルである。図３は、感圧式のタッチパネル２０２の構成の一例を示す図である。図３（ａ）に示すように、タッチパネル２０２は、表示部２０１上に２枚の透明基板２０２ａ、２０２ｂが互いに対向するように配置されて構成されている。そして、透明基板２０２ａ上には透明電極２０２ｃが配置され、透明基板２０２ｂ上には透明電極２０２ｃと対向するように透明電極２０２ｄが配置されている。このような構成において、ユーザの指やタッチペン等によりタッチパネル２０２に対する押圧操作がなされると、図３（ｂ）に示すようにして、押圧位置に対応した透明電極２０２ｃと透明電極２０２ｄとが接触する。この透明電極の接触によって生じる信号を撮像装置２００内部のＣＰＵ２０９によって検出することで、ユーザのタッチパネル２０２上の押圧位置を検出することが可能である。
【００２２】
ここで、タッチパネル２０２が人間の人差し指で操作されることがあることを考慮してタッチパネル２０２の透明基板上に形成する透明電極の間隔は１５ｍｍ以上とすることが好ましい。
【００２３】
図４は、撮像装置２００の内部の構成を示す図である。図４に示す撮像装置２００は、図２に示した表示部２０１と、タッチパネル２０２に加えて、レンズ２０３と、撮像素子２０４と、撮像回路２０５と、データバス２０６と、画像処理回路２０７と、記憶媒体２０８と、ＣＰＵ２０９と、操作部材２１０と、電池２１１と、電源回路２１２と、装着検知スイッチ２１３とを有している。
【００２４】
レンズ２０３は、被写体の像を、撮像素子２０４に結像させるための光学系である。撮像素子２０４は、レンズ２０３を介して結像された被写体の像を電気信号（画像信号）に変換して出力する。撮像回路２０５は、撮像素子２０４から読み出される画像信号に対してノイズ除去や増幅等のアナログ処理や、アナログ処理した画像信号をデジタル信号（画像データ）に変換する等の前処理を行う。
【００２５】
データバス２０６は、撮像回路２０５において得られた画像データや画像処理回路１０７で処理される画像データ等の種々のデータを転送するための転送路である。
【００２６】
画像処理回路２０７は、撮像回路２０５において得られた画像データに対して各種の画像処理を施す。この画像処理は、画像の階調を補正する階調補正処理、画像データを圧縮又は伸張する圧縮/伸張処理等が含まれる。記憶媒体２０８は、画像処理回路２０７において処理された画像データを記憶する。
【００２７】
ＣＰＵ２０９は、所定の制御プログラムに従って撮像装置２００の各部を制御する。操作部材２１０は、ユーザが撮像装置２００を操作するための各種の操作部材である。この操作部材２１０やタッチパネル２０２の操作が検知された場合に、ＣＰＵ２０９は、操作部材の操作内容に応じた制御を実行する。
【００２８】
電池２１１は、撮像装置２００の電源である。電源回路２１２は、電池２１１の電圧を撮像装置２００の各部の動作に必要な電圧に変換して各部に供給する。
【００２９】
装着検知スイッチ２１３は、撮像装置２００が防水ハウジング１００に収納されたことを検知するためのスイッチである。装着検知スイッチ２１３は、例えば撮像装置２００が防水ハウジング１００に収納されたときに押し込まれるスイッチであり、この装着検知スイッチ２１３の押し込みを検知することで、ＣＰＵ２０９は撮像装置２００が防水ハウジング１００に収納されたことを検知する。
【００３０】
次に、防水ハウジング１００へのタッチペン１０４の接触操作を撮像装置２００のタッチパネル２０２に伝達するための伝達部の構成について説明する。図５は、第１の実施形態における伝達部の構成を説明するための防水ハウジングと撮像装置との間の断面図である。
【００３１】
図５に示すように、伝達部は、磁石１０５ａと、付勢部材１０５ｂとを有している。  
第１の磁石としての機能を有する磁石１０５ａは、少なくとも表示部２０１に表示されたタッチパネル２０２の操作部と対応する位置に、タッチペン１０４のペン先１０４ａと同極側（図ではＳ極側）が筐体１０１の外側に向くようにして配置されている。なお、磁石１０５ａを適当な間隔を置いてタッチパネル２０２の全域に対応するように配置しても良い。さらに、磁石１０５ａの大きさはペン先１０４ａに対して十分な反磁力が得られる範囲で小さい方が良い。磁石１０５ａを小さくすることで、タッチパネル２０２の操作部の表示が見易くなる。
【００３２】
付勢部材１０５ｂは、磁石１０５ａを付勢するための透明度の高い弾性体である。この付勢部材１０７ｂとしては、例えばシリコーンゴム、ウレタンゴム、ポリウレタンゴム等の弾性体を用いることができる。また、タッチパネルの位置検出方式が静電容量方式等の導電性の接触が必要な方式である場合には、付勢部材１０７ｂをさらに透明性を有する導体で覆う必要がある。この詳細については第２の実施形態で説明する。
【００３３】
なお、本実施形態においては、伝達部に磁石１０５ａを用いている。この場合、磁石１０５ａの磁力が撮像装置２００の動作に影響を与えることも考えられる。このような影響を低減するために防水ハウジング１００の筐体１０１の窓部１０２以外の部分には防磁処理を施しておくことがより望ましい。この防磁処理としては例えば窓部１０２とタッチパネル２０２とを囲むように筐体１０１の内側に鉛の壁を形成しておく等が考えられる。
【００３４】
図５に示す構成において、ユーザがタッチペン１０４のペン先１０４ａを筐体１０１に近づけていないときには、付勢部材１０５ｂにより、磁石１０５ａが筐体１０１方向に付勢されている。一方、ユーザが、タッチペン１０４のペン先１０４ａを筐体１０１に近づけたときには、ペン先１０４ａと磁石１０５ａとの間の反磁力によって磁石１０５ａがタッチパネル２０２の方向に移動し、この移動に伴って付勢部材１０５ｂがタッチパネル２０２に接触する。これにより、タッチパネル２０２の押圧操作がなされる。さらに、この状態で、ユーザがタッチペン１０４のペン先１０４ａを筐体１０１から離した場合には付勢部材１０５ｂの作用によって磁石１０５ａが筐体１０１に再び付勢される。
【００３５】
ここで、上述のように、タッチパネル２０２の操作部の間隔を１５ｍｍ以上とすれば、ユーザがタッチペン１０４のペン先１０４ａを筐体１０１に接触させた時に、ユーザが目的としている操作部以外に対応した磁石１０５ａが誤動作する可能性が低いと考えられる。
【００３６】
図６は、本実施形態に係る防水ハウジングに収納された撮像装置の動作を示すフローチャートである。図６の動作は、ユーザによって撮像装置２００の電源オン操作がなされた場合に開始される。
【００３７】
撮像装置２００の電源がオンされると、撮像装置２００のＣＰＵ２０９は、ユーザにより、撮像装置２００の電源のオフ操作がなされたか否かを判定する（ステップＳ１０１）。ステップＳ１０１の判定において、撮像装置２００の電源のオフ操作がなされた場合に、ＣＰＵ２０９は撮像装置の電源をオフさせて図６の動作を終了させる。
【００３８】
一方、ステップＳ１０１の判定において、撮像装置２００の電源のオフ操作がなされていない場合に、ＣＰＵ２０９は、表示部２０１にスルー画表示を行い、さらにスルー画表示した画像にタッチパネル２０２の操作部を示す画像２０１ａを重畳表示させる（ステップＳ１０２）。ここで、スルー画表示において、ＣＰＵ２０９は撮像素子２０４を連続させて得られる画像を順次画像処理し、この画像処理した画像を表示部２０１に順次表示させる。このようなスルー画表示により、ユーザは表示部２０１をファインダの代わりとして用いることが可能である。
【００３９】
次に、ＣＰＵ２０９は、装着検知スイッチ２１３の出力から撮像装置２００が防水ハウジング１００に収納されたか否かを判定する（ステップＳ１０３）。ステップＳ１０３の判定において、撮像装置２００が防水ハウジング１００に装着された場合に、ＣＰＵ２０９は、ステップＳ１０２においてスルー画表示に重畳させたタッチパネル２０２の操作部を示す画像２０１ａが防水ハウジングの磁石１０５ａによって隠れないように、画像２０１ａを磁石１０５ａの大きさよりも拡大させる（ステップＳ１０４）。または、タッチパネル２０２の操作部を示す画像２０１ａの名称を示す表示部分を防水ハウジングの磁石１０５ａで隠れないように移動させるようにしても良い。このような処理を行うことにより、ユーザはタッチパネル２０２の操作部が見易くなる。また、ステップＳ１０３の判定において、撮像装置２００が防水ハウジング１００に装着されていない場合に、ＣＰＵ２０９は、ステップＳ１０４の処理をスキップする。
【００４０】
次に、ＣＰＵ２０９は、タッチパネル２０２の出力から、タッチパネル２０２への接触がなされたか、即ちタッチパネル２０２の操作がなされたか否かを判定する（ステップＳ１０５）。撮像装置２００が防水ハウジング１００に収納されていない場合にはユーザが指等でタッチパネル２０２を直接操作可能である。一方、撮像装置２００が防水ハウジング１００に収納されている場合にはユーザがタッチペン１０４のペン先１０４ａを防水ハウジング１００の窓部１０２に近づけることで伝達部を構成する磁石１０５ａがタッチパネル２０２の方向に移動してタッチパネル２０２の操作が行われる。何れの場合でもタッチパネル２０２の操作位置を示す信号はＣＰＵ２０９に出力され、ＣＰＵ２０９はタッチパネル２０２の操作を識別可能である。
【００４１】
ステップＳ１０５の判定において、タッチパネル２０２への接触があった場合に、ＣＰＵ２０９はタッチパネル２０２の接触位置を検出する（ステップＳ１０６）。そして、ＣＰＵ２０９はタッチパネル２０２の接触位置に応じた処理を実行する（ステップＳ１０７）。一方、ステップＳ１０５の判定において、タッチパネル２０２への接触がなされていない場合に、ＣＰＵ２０９はステップＳ１０６、Ｓ１０７の処理をスキップする。
【００４２】
次に、ＣＰＵ２０９は、ユーザの操作により画像の記録指示がなされたか否かを判定する（ステップＳ１０８）。撮像装置２００が防水ハウジング１００に収納されていない場合には画像の記録指示は操作部材２１０を介して行われる。一方、撮像装置２００が防水ハウジング１００に収納されている場合には画像の記録指示は例えばタッチパネル２０２で行えるようにすれば良い。或いは、撮像装置２００の操作部材２１０と連動して動作する専用の操作部材を防水ハウジングに設けておけば、この専用の操作部材の操作によって画像の記録指示を行うこともできる。
【００４３】
ステップＳ１０８の判定において、画像の記録指示がなされていない場合には処理がステップＳ１０１に戻る。この場合に、ＣＰＵ２０９は撮像装置２００の電源がオフされたか否かを再び判定する。一方、ステップＳ１０８の判定において、画像の記録指示がなされた場合に、ＣＰＵ２０９は画像の記録を実行する（ステップＳ１０９）。その後、ＣＰＵ２０９は、ユーザの操作により画像記録の終了指示がなされたか否かを判定する（ステップＳ１１０）。ステップＳ１１０の判定において、画像記録の終了指示がなされていない場合には処理がステップＳ１０９に戻る。この場合に、ＣＰＵ２０９は画像の記録を継続する。一方、ステップＳ１１０の判定において、画像記録の終了指示がなされた場合にＣＰＵ２０９は画像の記録を終了させて処理がステップＳ１０１に戻る。
【００４４】
以上説明したように、第１の実施形態によれば、防水ハウジング１００の筐体１０１に磁性を有するタッチペン１０４のペン先１０４ａを近接させることで、筐体１０１の内部に設けられた磁石１０５ａが反磁力によって移動して撮像装置２００のタッチパネル２０２の操作がなされる。このような構成により、直接的なタッチパネル２０２への接触がなくともタッチパネル２０２の操作を行うことが可能である。また、伝達部はペン先１０４ａからの反磁力によって動作するため、撮像装置２００が防水ハウジング１００に収納されているときと、撮像装置２００が防水ハウジング１００に収納されていないときとで消費電力は変わらない。
【００４５】
なお、第１の実施形態の手法はタッチパネル２０２が感圧式の場合のみではなく、赤外線式等の種々の場合にも適用可能である。
【００４６】
［第２の実施形態］
次に、本発明の第２の実施形態について説明する。図７は、本発明の第２の実施形態における伝達部の構成を説明するための防水ハウジングと撮像装置との間の断面図である。第２の実施形態はタッチパネル２０２が静電容量式のタッチパネルの場合の適用例である。
【００４７】
図３で示した感圧式のタッチパネル２０２の場合、表示部２０１上に対をなすように透明電極２０２ｃ、２０２ｄを配置している。これに対し、静電容量式の場合には、図７に示すように透明電極２０２ｅのみを配置すれば良い。静電容量方式は、この表示部２０１上に配された透明電極２０２ｅに対してユーザの指等の導電性を有する物体が接近したときに生じる、ユーザの指等と透明電極２０２ｅとで形成される静電容量の変化を検出することで押圧位置を検出する方式である。このような方式であるため、磁石１０５ａを近接させただけではタッチパネル２０２が動作しない。
【００４８】
したがって、第２の実施形態においては、付勢部材１０５ｂを高透明導電膜１０５ｃで覆うようにしている。この高透明導電膜１０５ｃとしては、ＩＴＯ膜、酸化亜鉛（ＺｎＯ）膜、酸化チタン（ＴｉＯ２）膜、酸化錫（ＳｎＯ２）膜等を用いることができる。
【００４９】
なお、図７に示した高透明導電膜１０５ｃは導線１０８を介して金属部１０９に接続されている。この金属部１０９は高透明導電膜１０５ｃを接地するために設けられている。このような構成により、高透明導電膜１０５ｃがタッチパネル２０２に接触すると導線１０８を介して金属部１０９に微小電流が流れるように構成されている。
【００５０】
以上説明したように、第２の実施形態によれば、付勢部材１０５ｂを高透明導電膜１０５ｃで覆うようにすることで静電容量式のタッチパネルに対しても本実施形態の手法を適用可能である。
【００５１】
以上実施形態に基づいて本発明を説明したが、本発明は上述した実施形態に限定されるものではなく、本発明の要旨の範囲内で種々の変形や応用が可能なことは勿論である。
【００５２】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００５３】
１００…防水ハウジング、１０１…筐体、１０２…窓部、１０３…タッチペン収納用磁石、１０４…タッチペン、１０５…接続紐、１０５ａ…磁石、１０５ｂ…付勢部材、１０５ｃ…高透明導電膜、２００…撮像装置、２０１…表示部、２０２…タッチパネル、２０３…レンズ、２０４…撮像素子、２０５…撮像回路、２０６…データバス、２０７…画像処理回路、２０８…記憶媒体、２０９…ＣＰＵ、２１０…操作部材、２１１…電池、２１２…電源回路、２１３…装着検知スイッチ
【図１】
2010282143.tif 000003
【図２】
2010282143.tif 000004
【図３】
2010282143.tif 000005
【図４】
2010282143.tif 000006
【図５】
2010282143.tif 000007
【図６】
2010282143.tif 000008
【図７】
2010282143.tif 000009